(57)【要約】【課題】冷蔵庫の扉装置に関し、使用者の誤操作による扉装置の動作による扉開放を禁止し冷蔵室の温度上昇の防止を図る。【解決手段】開扉スイッチの操作により電動扉開扉ユニットへの通電を制御する制御手段と、制御手段の制御を禁止する禁止状態と制御手段の制御を有効とする通常状態とを設定し、通常状態においては制御手段に信号を出力する設定手段と、開扉スイッチ及び扉スイッチの信号により禁止状態と通常状態の設定を判定する判定手段を設けたことにより、電動開扉ユニットの動作を禁止状態とすることにより、使用者の誤操作による扉開放を防止することができる。【選択図】図２
2006046742.tif 000002
【特許請求の範囲】
【請求項１】
冷蔵庫本体に設けられた貯蔵室の開口部を開閉する扉と、通電されたときに前記扉に対し開放方向の力を作用させることにより前記扉を開放させる電動開扉ユニットと、使用者により操作されたときに開扉信号を出力する開扉スイッチと、前記扉が開放されたときに開放信号を出力する扉スイッチと、前記電動開扉ユニットへの通電を制御する制御手段と、前記制御手段の制御を禁止する禁止状態と前記制御手段の制御を有効とする通常状態とを設定し、通常状態においては前記制御手段に信号を出力する設定手段と、前記開扉スイッチの開扉信号により禁止状態と通常状態の設定を判定する判定手段を設けた冷蔵庫の扉装置。
【請求項２】
判定手段が、扉が開扉されている状態で、開扉信号が入力されたときに禁止状態と通常状態の判定を行う請求項１記載の冷蔵庫の扉装置。
【請求項３】
判定手段が、所定の時間以上の間、開扉信号が入力されたときに禁止状態と通常状態の判定を行う請求項１または請求項２に記載の冷蔵庫の扉装置。
【請求項４】
判定手段が、扉が開扉されている状態で開扉信号が入力されたときに禁止状態に、扉が閉扉されている状態で開扉信号が入力されたときに通常状態の判定を行う請求項１から請求項３のいずれか一項に記載の冷蔵庫の扉装置。
【請求項５】
設定手段にて、禁止状態および通常状態に設定されたときに設定が変更になったことを音で知らせる通知手段を設けた請求項１から請求項４のいずれか一項に記載の冷蔵庫の扉装置。
【請求項６】
設定手段にて禁止状態設定時に、扉が閉扉された状態で開扉信号が入力されたとき、禁止状態であることを音で知らせる警報手段を設けた請求項１から請求項４のいずれか一項に記載の冷蔵の扉装置。
【請求項７】
設定手段にて、禁止状態および通常状態に設定されたときに設定が変更になったことを音で知らせる通知手段と、禁止状態設定時に、扉が閉扉された状態で開扉信号が入力されたとき、禁止状態であることを音で知らせる警報手段を設け、設定が変更になったことを音で知らせる前記通知手段と禁止状態であることを知らせる前記警報手段の音がそれぞれ異なる請求項１から請求項４のいずれか一項に記載の冷蔵庫の扉装置。
【発明の詳細な説明】
【技術分野】
【０００１】
本発明は、例えば冷蔵庫の開口部を開閉する扉と、この扉を開放させる電動開扉ユニットとを備えた冷蔵庫の扉装置に関するものである。
【背景技術】
【０００２】
近年、冷蔵庫においては、その大型化が顕著になっており、これに伴い冷蔵室の扉も大型化している。このような冷蔵庫の扉は、その開閉状態をマグネットガスケットの吸着力により保持するように構成することが一般的である。そして、扉が大型化するとマグネットガスケットの総延長が長くなるため、扉を開放するのに必要な操作力が増大する傾向が出てくる。このように冷蔵庫の扉を開放するために必要な操作力が大きくなった場合には、非力な人（女性や子供あるいは老人）にとっては大きな負担になるため、対策を施すことが望ましく、例えば電磁ソレノイドやモータのようなアクチュエータを利用した扉を開放させる開扉装置を設けるという電動アシスト方式が考えられる。
【０００３】
そしてこの電動アシスト方式の開扉装置の場合、ユーザーにより開扉用スイッチの操作により電動ユニットに通電し扉を開放させる構成が一般的に提案されている。（例えば、特許文献１参照）
以下、図面を参照しながら上記従来の冷蔵庫の扉装置を説明する。
【０００４】
図５及び図６には、従来の冷蔵庫の扉装置の正面図及び冷蔵庫用扉を開放した状態での概略的な斜視図が示されている。これら図５及び図６において、周知構造の断熱箱体として構成された冷蔵庫本体５０１内には冷蔵室５０２、野菜室５０３、製氷室５０４、内部温度を複数段階に切替可能な切替室５０５、冷凍室５０６が上から順に設けられている。尚、製氷室５０４及び切替室５０５は左右に並ぶように設けられている。また、切替室５０５はその内部温度の切替に応じて、冷凍室、チルド室、冷蔵室、野菜室などの多様な態様で使用可能なように構成されている。
【０００５】
上記冷蔵室５０２の前面にはヒンジ開閉式の扉５０２ａが設けられ、野菜室５０３、製氷室５０４、切替室５０５及び冷凍室５０６の各前面には、それぞれの貯蔵容器（図示せず）に連結された引出式の扉５０３ａ、５０４ａ、５０５ａ及び５０６ａが設けられている。冷蔵室５０２用の扉５０２ａの裏面の周縁部には、マグネットガスケット５０２ｂが冷蔵庫本体５０２（即ち冷蔵室５０２の開口縁部）に吸着することにより閉鎖状態に保持される構成となっている。また、図示しないが、他の扉５０３ａ、５０４ａ、５０５ａ及び５０６ａの裏面側の周縁部にもマグネットガスケットが取り付けられている。
【０００６】
さて、冷蔵庫本体５０１の上面部には、冷蔵室５０２用の扉５０２ａに開放方向への力を作用させるための電動開扉ユニット５０７が取り付けられている。この電動開扉ユニット５０７は、冷蔵庫の上部の断面構造を示す図７に示すように、冷蔵庫本体５０１の上面部に形成された凹部５０１ａ内に半埋め込み状態で設置されており、内部に直流電流駆動される電磁ソレノイド５０８を有する。
【０００７】
この電磁ソレノイド５０８は円筒状に形成されたコイルを樹脂モールドしたコイルユニット５０８ａと、このコイルユニット５０８ａ内にこれを貫通した状態で設けられたプランジャ５０８ｂと、このプランジャ５０８ｂに対し同軸状に固定されたプッシュロッド（突き出し棒）５０８ｃとを主たる構成要素としたものである。上記電磁ソレノイド５０８は、その通電状態（コイルユニット通電される状態）でプランジャ５０８ｂ及びプッシュロッド５０８ｃを扉５０２ａ方向（図７の矢印Ａ方向）へ付勢するように構成されている。
【０００８】
また、冷蔵庫５０２用の扉５０２ａ上縁部には、前記プッシュロッド５０８ｃの先端部が当接する受け具５０２ｃが一体的に設けられている。この構成の場合、前記電磁ソレノイド５０に通電されてプランジャ５０８ｂ及びプッシュロッド５０８ｃが矢印Ａ方向へ付勢されると、上記受け具５０２ｃがプッシュロッド５０８ｃによって押圧され、これに応じて扉５０２ａがマグネットガスケット５０２ｂの吸着力に抗して開放される構成となっている。
【０００９】
また、冷蔵庫５０２用の扉５０２ａの前面部には、ハンドル５１０が設けられている。このハンドル５１０には、使用者により該ハンドル５１０が引張り操作されたとき並びに押圧操作されたときにオンされる常開型の開扉スイッチ５１０ａが内蔵されている。図８には本従来例の、冷蔵庫の扉装置の制御構成図で、５１２が制御ユニットで冷蔵庫本体５０１に内蔵されており、開扉スイッチ５１０ａからの信号を入力し開扉スイッチ５１０ａの状態を判定する開扉スイッチ検出手段５１２ａと、前記開扉スイッチ検出手段５１２ａの信号と冷蔵室５０２用の扉５０２ａの開閉に連動して動作する扉スイッチ５１３と電動ユニット５０７への通電時間をカウントするタイマー５１２ｂの信号を入力し電動開扉ユニット５０７への通電か断電かを判定する判定手段５１２ｃと、前記判定手段５１２ｃの信号を入力し電動開扉ユニットへ５０７の通電、断電を制御する通電手段５１２ｄ、断電手段５１２ｅより構成されている。以上のように構成された冷蔵庫の扉装置について、以下その動作を説明する。
【００１０】
まず、図９のステップＳ５０１において開扉スイッチ５１０ａがオン（操作）されたか否かを開扉スイッチ検出手段５１２ａにて判定する。ここで開扉スイッチ５１０ａがオンされたときには、ステップＳ５０２へ進み、判定手段５１２ｃにて電動開扉ユニット５０７に通電すべく通電手段５１２ｄに信号を出力し電動開扉ユニット５０７への通電を行う。
【００１１】
これにより、電磁ソレノイド５０８のプランジャ５０８ｂ及びプッシュロッド５０８ｃが扉５０２ａ方向へ付勢され、プッシュロッド５０８ｃが扉５０２ａの受け具５０２ｃを押圧するようになる。この結果、扉５０２ａがマグネットガスケット５０２ｂの吸着力に抗して開放されるようになる。そして、ステップＳ５０３へ進み、判定手段５１２ｃは扉スイッチ５１３がオンしたか否かを判定する。ここで、扉スイッチ５１３がオンしたとき、即ち、扉５０２ａが開放されたときには、ステップＳ５０４に進み、判定手段５１２ｃにて電動開扉ユニット５０７への通電を断電すべく断電手段５１ｅに信号を出力し電動開扉ユニット５０７への通電を停止する。
【００１２】
一方、上記ステップＳ５０３において、扉スイッチ５１３がオフのとき、即ち扉５０２ａが閉状態のときには、ステップＳ５０５に進み、判定手段５１２ｃにて電動開扉ユニット５０７への通電を開始してから予め決められた設定時間が経過したか否かを判断する。
そして、上記ステップＳ５０５において設定時間を経過していないときにはステップＳ５０３に戻る。これに対して、ステップＳ５０５において設定時間が経過したときには、ステップＳ５０４する。
【特許文献１】特開２００１−２６３９２３号公報
【発明の開示】
【発明が解決しようとする課題】
【００１３】
しかしながら従来提案されている冷蔵庫の扉装置では、使用者が意図しないで開扉スイッチ５１３が操作された場合にも扉５０２ａが開放されるほか、子供のいたずら操作などにおいても扉５０２ａが開放される。このことは冷蔵室５０２の温度上昇をまねき、食品の保存に問題が発生するという欠点があった。また、これを防ぐ方法として、開扉スイッチ５１３が操作された場合においても電動開扉ユニット５０７への通電をしないように設定するスイッチを別に設けた事例もあるが、特別なスイッチを設ける必要がありコストアップになるという欠点があった。
【００１４】
本発明は従来の課題を解決するもので、コストアップすることなく電動開扉ユニットの誤操作、いたずら操作においても扉が開放されることを防止し、冷蔵室の温度上昇を防ぐことのできる冷蔵庫の扉装置を提供することを目的とする。
【００１５】
本発明の他の目的は、電動開扉ユニットが開扉スイッチの操作により制御可能か否かを使用者に知らせることができる冷蔵庫の扉装置を提供することである。
【課題を解決するための手段】
【００１６】
上記従来の課題を解決するために、本発明の冷蔵庫の扉装置は、冷蔵庫本体に設けられた貯蔵室の開口部を開閉する扉と、通電されたときに前記扉に対し開放方向の力を作用させることにより前記扉を開放させる電動開扉ユニットと、使用者により操作されたときに開扉信号を出力する開扉スイッチと、前記扉が開放されたときに開放信号を出力する扉スイッチと、前記電動開扉ユニットへの通電を制御する制御手段と、前記制御手段の制御を禁止する禁止状態と、前記制御手段の制御を有効とする通常状態とを設定し、通常状態においては前記制御手段に信号を出力する設定手段と、前記開扉スイッチの開扉信号により禁止状態と通常状態の設定を判定する判定手段を設けたものであり、開扉スイッチにより電動開扉ユニットを通常状態と禁止状態を設定することができ、コストアップすることなく電動開扉ユニットの誤操作、いたずら操作においても扉が開放されることを防止し、冷蔵室の温度上昇を防ぐことができる。
【００１７】
また、設定手段にて、禁止状態および通常状態に設定されたときに設定が変更になったことを音で知らせる通知手段と、禁止状態設定時に、扉が閉扉された状態で開扉信号が入力されたとき、禁止状態であることを音で知らせる警報手段とを設けたものであり、使用者に設定が通常状態から禁止状態にまたは禁止状態から通常状態に変更になったことと、禁止状態で開扉スイッチが操作されたことを知らせることができる。
【発明の効果】
【００１８】
本発明の冷蔵庫の扉装置は、開扉スイッチの操作により電動開扉ユニットを駆動することにより非力な人（女性や子供あるいは老人）でも大きな力なしに扉を開放できるとともに、使用者が意図しないときには電動開扉ユニットの駆動を禁止することができ、不要な扉の開放を防止することができ、電動開扉ユニットの誤操作による冷蔵室の温度上昇を防ぐという効果を有する。
【発明を実施するための最良の形態】
【００１９】
請求項１に記載の発明は、冷蔵庫本体に設けられた貯蔵室の開口部を開閉する扉と、通電されたときに前記扉に対し開放方向の力を作用させることにより前記扉を開放させる電動開扉ユニットと、使用者により操作されたときに開扉信号を出力する開扉スイッチと、前記扉が開放されたときに開放信号を出力する扉スイッチと、前記電動開扉ユニットへの通電を制御する制御手段と、前記制御手段の制御を禁止する禁止状態と、前記制御手段の制御を有効とする通常状態とを設定し、通常状態においては前記制御手段に信号を出力する設定手段と、前記開扉スイッチの開扉信号により禁止状態と通常状態の設定を判定する判定手段を設けたものであり、新たにスイッチを設けることなく開扉スイッチの操作により電動開扉ユニットへの通電の禁止と解除を設定することができ、意図しない扉の開放を防止することができる。
【００２０】
請求項２に記載の発明は、請求項１に記載の発明において、判定手段が、扉が開扉されている状態で、開扉信号が入力されたときに禁止状態と通常状態の判定を行うようにしたもので、新たにスイッチを設けることなく開扉スイッチの操作により電動開扉ユニットへの通電の禁止と解除を設定することができ、意図しない扉の開放を防止することができるとともに誤って禁止状態に設定することも防止することができる。
【００２１】
請求項３に記載の発明は、請求項１または請求項２に記載の発明において、判定手段が、所定の時間以上の間、開扉信号が入力されたときに禁止状態と通常状態の判定を行うようにしたもので、新たにスイッチを設けることなく開扉スイッチの操作により電動開扉ユニットへの通電の禁止と解除を設定することができ、意図しない扉の開放を防止することができるとともに誤って禁止状態に設定することも防止することができる。
【００２２】
請求項４に記載の発明は、請求項１から請求項３のいずれか一項に記載の発明において、判定手段が、扉が開扉されている状態で開扉信号が入力されたときに禁止状態に、扉が閉扉されている状態で開扉信号が入力されたときに通常状態の判定を行うようにしたもので、新たにスイッチを設けることなく開扉スイッチの操作により電動開扉ユニットへの通電の禁止と解除を設定することができ、意図しない扉の開放を防止することができるとともに誤って禁止状態に設定することも防止することができる。
【００２３】
請求項５に記載の発明は、請求項１から請求項４のいずれか一項に記載の発明において、設定手段にて、禁止状態および通常状態に設定されたときに設定が変更になったことを音で知らせる通知手段を設けたもので、使用者に電動開扉ユニットが通常状態から禁止状態に、また禁止状態から通常状態に設定されたことを知らせることができ誤った設定を防止することができる。
【００２４】
請求項６に記載の発明は、請求項１から請求項４のいずれか一項に記載の発明において、設定手段にて禁止状態設定時に、扉が閉扉された状態で開扉信号が入力されたとき、禁止状態であることを音で知らせる警報手段を設けたもので、使用者に電動開扉ユニットが禁止状態であることを知らせることができ誤った操作を防止することができる。
【００２５】
請求項７に記載の発明は、請求項１から請求項４のいずれか一項に記載の発明において、設定手段にて、禁止状態および通常状態に設定されたときに設定が変更になったことを音で知らせる通知手段と、禁止状態設定時に、扉が閉扉された状態で開扉信号が入力されたとき、禁止状態であることを音で知らせる警報手段を設け、設定が変更になったことを音で知らせる前記通知手段と禁止状態であることを知らせる前記警報手段の音がそれぞれ異なるようにしたもので使用者の誤操作を防止することができる。
【００２６】
以下、本発明の実施の形態について、図面を参照しながら説明する。なお、この実施の形態によってこの発明が限定されるものではない。
【００２７】
（実施の形態１）
図１は、本発明の実施の形態１による冷蔵庫の扉装置の制御構成図である。尚、冷蔵庫本体および電動開扉ユニットの構成については、従来例の冷蔵庫の扉装置と同一のため、同一番号を付与し説明は省略する。
【００２８】
１が制御ユニットで冷蔵庫本体５０１に内蔵されており、以下の開扉スイッチ検出手段２、論理手段３、タイマー４、設定手段５、制御手段６、警報手段７、通知手段８より構成される。開扉スイッチ検出手段２は開扉スイッチ５１０ａからの信号を入力し開扉スイッチ５１０ａの状態を判定する。論理手段３は前記開扉スイッチ検出手段２の信号と冷蔵室５０２用の扉５０２ａの開閉に連動して動作する扉スイッチ５１３と開扉スイッチ５１０ａのオン時間をカウントするタイマー４の信号を入力し設定手段５に信号を出力する。前記設定手段５は電動開扉ユニット５０７への通電か断電かを判定し制御手段６に信号を出力する。前記制御手段６は電動開扉ユニット５０７への通電を制御するとともに警報手段７及び通知手段８に信号を出力する。尚、論理手段３とタイマー４を合わせて判定手段９という。以上のように構成された冷蔵庫の扉装置について、以下その動作を説明する。
【００２９】
まず、図２のステップＳ１において開扉スイッチ５１０ａがオン（操作）されたか否かを開扉スイッチ検出手段２にて判定する。ここで開扉スイッチ５１０ａがオンされたときにはステップＳ２へ進み、オンされていない場合にはステップＳ７に進みその他の冷蔵庫制御（説明せず）を行う。ステップＳ２では扉スイッチ５１３が開状態であるか否かを判定する。ここで扉スイッチ５１３が開状態のときはステップＳ３進み、開状態でない時にはステップＳ１３に進む。ステップＳ３においてはタイマー４がカウント中であるか否かを検出しカウント中の場合はステップＳ４に、カウント中でない場合にはタイマーのカウントをスタートさせ（ステップＳ５）ステップＳ７に進む。ステップＳ４ではタイマーのカウント時間が予め設定された所定時間（通常１秒〜５秒程度）経過したか否かを判定する。所定時間経過している場合にはタイマーのカウントをリセットし（ステップＳ６）ステップＳ８に進み、所定時間経過していないときにはカウントを継続しステップＳ７に進む。以上のステップＳ２〜Ｓ６を論理手段３にて実行する。ステップＳ８では設定手段５にて電動開扉ユニット５０７の設定状態を判定する。即ち、電動開扉ユニット５０７への通電が禁止状態にあるのか通常状態であるのかを判定し、禁止状態であれば通常状態に設定し（ステップＳ９）通知手段８にて使用者に対し音などにて通常状態設定通知を行う（ステップＳ１０）。通常状態であれば禁止状態に設定する（ステップＳ１１）とともに通知手段８にて使用者に対し音などにて禁止状態設定通知を行う（ステップＳ１２）。
【００３０】
一方、ステップＳ１３では設定手段５にて電動開扉ユニット５０７の設定状態を確認する。即ち、電動開扉ユニット５０７への通電が通常状態であれば制御手段６に信号を出力し電動開扉ユニットへの通電を行い（ステップＳ１４）、禁止状態であれば警報手段７にて音などにて禁止状態であることを使用者に通知する（ステップＳ１５）。
【００３１】
電動開扉ユニット５０７への通電により、電磁ソレノイド５０８のプランジャ５０８ｂ及びプッシュロッド５０８ｃが扉５０２ａ方向へ付勢され、プッシュロッド５０８ｃが扉５０２ａの受け具５０２ｃを押圧するようになる。この結果、扉５０２ａがマグネットガスケット５０２ｂの吸着力に抗して開放されるようになる。
【００３２】
以上のように本実施の形態の、冷蔵庫本体５０１に設けられた冷蔵室５０２の開口部を開閉する扉５０２ａと、通電されたときに扉５０２ａに対し開放方向の力を作用させることにより扉５０２ａを開放させる電動開扉ユニット５０７と、使用者により操作されたときに開扉信号を出力する開扉スイッチ５１０ａと、扉５０２ａが開放されたときに開放信号を出力する扉スイッチ５１３と、電動開扉ユニット５０７への通電を制御する制御手段６と、制御手段６の制御を禁止する禁止状態と、制御手段６の制御を有効とする通常状態とを設定し、通常状態においては制御手段６に信号を出力する設定手段４と、開扉スイッチ５１０ａの開扉信号とタイマー４及び扉スイッチ５１３の信号により禁止状態と通常状態の設定を判定する論理手段３とを設け、設定手段４にて、禁止状態および通常状態に設定されたときに設定が変更になったことを音で知らせる通知手段８と、禁止状態設定時に、扉が閉扉された状態で開扉信号が入力されたとき、禁止状態であることを音で知らせる警報手段７とを設けたものであり、新たにスイッチを設けることなく開扉スイッチの操作により電動開扉ユニットへの通電の禁止と解除を設定することができ、意図しない扉の開放を防止することができるとともに誤って禁止状態に設定することも防止することができる。更に使用者に設定が通常状態から禁止状態にまたは禁止状態から通常状態に変更になったことと、禁止状態で開扉スイッチが操作されたことを知らせることができる。
【００３３】
（実施の形態２）
本発明の実施の形態２による冷蔵庫は、実施の形態１と全く同一構成で動作が異なるものであり、構成については同一符号を付与し説明は省略し以下にその動作について説明する。
【００３４】
まず、図３のステップＳ１０１において開扉スイッチ５１０ａがオン（操作）されたか否かを開扉スイッチ検出手段２にて判定する。ここで開扉スイッチ５１０ａがオンされたときにはステップＳ１０２へ進み、オンされていない場合にはステップＳ１１６に進みその他の冷蔵庫制御（説明せず）を行う。ステップＳ１０２ではタイマー４がカウント中であるか否かを検出しカウント中の場合はステップＳ１０３に、カウント中でない場合にはタイマーのカウントをスタートさせ（ステップＳ１０４）ステップＳ１０５に進む。ステップＳ１０３ではタイマーのカウント時間が予め設定された所定時間（通常１秒〜５秒程度）経過したか否かを判定する。所定時間経過している場合にはタイマーのカウントをリセットし（ステップＳ１０６）ステップＳ１０７に進み、所定時間経過していないときにはカウントを継続しステップＳ１０５に進む。ステップＳ１０５では扉スイッチ５１３が閉状態であるか否かを判定する。ここで扉スイッチ５１３が閉状態のときはステップＳ１１３進み、閉状態でない時にはステップＳ１１６に進む。ステップＳ１０７においては扉スイッチ５１３が開状態であるか否かを判定する。ここで扉スイッチ５１３が開状態のときはステップＳ１０８進み、開状態でない時にはステップＳ１１６に進む。以上のステップＳ１０１〜Ｓ１０７を論理手段３にて実行する。ステップＳ１０８では設定手段５にて電動開扉ユニット５０７の設定状態を判定する。即ち、電動開扉ユニット５０７への通電が禁止状態にあるのか通常状態であるのかを判定し、禁止状態であれば通常状態に設定し（ステップＳ１０９）通知手段８にて使用者に対し音などにて通常状態設定通知を行う（ステップＳ１１０）。通常状態であれば禁止状態に設定する（ステップＳ１１１）とともに通知手段８にて使用者に対し音などにて禁止状態設定通知を行う（ステップＳ１１２）。
【００３５】
一方、ステップＳ１１３では設定手段５にて電動開扉ユニット５０７の設定状態を確認する。即ち、電動開扉ユニット５０７への通電が通常状態であれば制御手段６に信号を出力し電動開扉ユニットへの通電を行い（ステップＳ１１５）、禁止状態であれば警報手段７にて音などにて禁止状態であることを使用者に通知する（ステップＳ１１４）。
【００３６】
電動開扉ユニット５０７への通電により、電磁ソレノイド５０８のプランジャ５０８ｂ及びプッシュロッド５０８ｃが扉５０２ａ方向へ付勢され、プッシュロッド５０８ｃが扉５０２ａの受け具５０２ｃを押圧するようになる。この結果、扉５０２ａがマグネットガスケット５０２ｂの吸着力に抗して開放されるようになる。
【００３７】
以上のように本実施の形態の、冷蔵庫本体５０１に設けられた冷蔵室５０２の開口部を開閉する扉５０２ａと、通電されたときに扉５０２ａに対し開放方向の力を作用させることにより扉５０２ａを開放させる電動開扉ユニット５０７と、使用者により操作されたときに開扉信号を出力する開扉スイッチ５１０ａと、扉５０２ａが開放されたときに開放信号を出力する扉スイッチ５１３と、電動開扉ユニット５０７への通電を制御する制御手段６と、制御手段６の制御を禁止する禁止状態と、制御手段６の制御を有効とする通常状態とを設定し、通常状態においては制御手段６に信号を出力する設定手段４と、開扉スイッチ５１０ａの開扉信号とタイマー４及び扉スイッチ５１３の信号により禁止状態と通常状態の設定を判定する論理手段３とを設け、設定手段４にて、禁止状態および通常状態に設定されたときに設定が変更になったことを音で知らせる通知手段８と、禁止状態設定時に、扉が閉扉された状態で開扉信号が入力されたとき、禁止状態であることを音で知らせる警報手段７とを設けたものであり、新たにスイッチを設けることなく開扉スイッチの操作により電動開扉ユニットへの通電の禁止と解除を設定することができ、意図しない扉の開放を防止することができるとともに誤って禁止状態に設定することも防止することができる。更に使用者に設定が通常状態から禁止状態にまたは禁止状態から通常状態に変更になったことと、禁止状態で開扉スイッチが操作されたことを知らせることができる。
【００３８】
（実施の形態３）
本発明の実施の形態３による冷蔵庫は、実施の形態１と全く同一構成で動作が異なるものであり、構成については同一符号を付与し説明は省略し以下にその動作について説明する。
【００３９】
まず、図４のステップＳ２０１において開扉スイッチ５１０ａがオン（操作）されたか否かを開扉スイッチ検出手段２にて判定する。ここで開扉スイッチ５１０ａがオンされたときにはステップＳ２０２へ進み、オンされていない場合にはステップＳ２１５に進みその他の冷蔵庫制御（説明せず）を行う。ステップＳ２０２では扉スイッチ５１３が開状態であるか否かを判定する。ここで扉スイッチ５１３が開状態のときはステップＳ２０３進み、開状態でない時にはステップＳ２１２に進む。ステップ２０３ではタイマー４がカウント中であるか否かを検出しカウント中の場合はステップＳ２０４に、カウント中でない場合にはタイマーのカウントをスタートさせ（ステップＳ２０５）ステップＳ２１５に進む。ステップＳ２０４ではタイマーのカウント時間が予め設定された所定時間（通常１秒〜５秒程度）経過したか否かを判定する。所定時間経過している場合にはタイマーのカウントをリセットし（ステップＳ２０６）ステップＳ２０７に進み、所定時間経過していないときにはカウントを継続しステップＳ２１５に進む。以上のステップＳ２０１〜Ｓ２０６を論理手段３にて実行する。ステップＳ２０７では設定手段５にて電動開扉ユニット５０７の設定状態を判定する。即ち、電動開扉ユニット５０７への通電が禁止状態にあるのか通常状態であるのかを判定し、禁止状態であれば通常状態に設定し（ステップＳ２０８）通知手段８にて使用者に対し音などにて通常状態設定通知を行う（ステップＳ２０９）。通常状態であれば禁止状態に設定する（ステップＳ２１０）とともに通知手段８にて使用者に対し音などにて禁止状態設定通知を行う（ステップＳ２１１）。
【００４０】
一方、ステップＳ２１２では設定手段５にて電動開扉ユニット５０７の設定状態を確認する。即ち、電動開扉ユニット５０７への通電が通常状態であれば制御手段６に信号を出力し電動開扉ユニットへの通電を行い（ステップＳ２１３）、禁止状態であれば警報手段７にて音などにて禁止状態であることを使用者に通知する（ステップＳ２１４）とともにステップ２０３に進む。
【００４１】
電動開扉ユニット５０７への通電により、電磁ソレノイド５０８のプランジャ５０８ｂ及びプッシュロッド５０８ｃが扉５０２ａ方向へ付勢され、プッシュロッド５０８ｃが扉５０２ａの受け具５０２ｃを押圧するようになる。この結果、扉５０２ａがマグネットガスケット５０２ｂの吸着力に抗して開放されるようになる。
【００４２】
以上のように本実施の形態の、冷蔵庫本体５０１に設けられた冷蔵室５０２の開口部を開閉する扉５０２ａと、通電されたときに扉５０２ａに対し開放方向の力を作用させることにより扉５０２ａを開放させる電動開扉ユニット５０７と、使用者により操作されたときに開扉信号を出力する開扉スイッチ５１０ａと、扉５０２ａが開放されたときに開放信号を出力する扉スイッチ５１３と、電動開扉ユニット５０７への通電を制御する制御手段６と、制御手段６の制御を禁止する禁止状態と、制御手段６の制御を有効とする通常状態とを設定し、通常状態においては制御手段６に信号を出力する設定手段４と、開扉スイッチ５１０ａの開扉信号とタイマー４及び扉スイッチ５１３の信号により禁止状態と通常状態の設定を判定する論理手段３とを設け、設定手段４にて、禁止状態および通常状態に設定されたときに設定が変更になったことを音で知らせる通知手段８と、禁止状態設定時に、扉が閉扉された状態で開扉信号が入力されたとき、禁止状態であることを音で知らせる警報手段７とを設けたものであり、新たにスイッチを設けることなく開扉スイッチの操作により電動開扉ユニットへの通電の禁止と解除を設定することができ、意図しない扉の開放を防止することができるとともに誤って禁止状態に設定することも防止することができる。更に使用者に設定が通常状態から禁止状態にまたは禁止状態から通常状態に変更になったことと、禁止状態で開扉スイッチが操作されたことを知らせることができる。
【００４３】
また、扉スイッチ５１３の状態が閉のときにのみ禁止状態の解除（通常状態の設定）を、開のときにのみ禁止状態の設定ができることにより、使用者の誤った設定をより防止することができる。
【産業上の利用可能性】
【００４４】
以上のように、本発明にかかる冷蔵庫の扉装置は、開扉スイッチの操作により電動開扉ユニットを駆動することにより非力な人（女性や子供あるいは老人）でも大きな力なしに扉を開放できるとともに、使用者が電動開扉ユニットによる扉開放機能を利用しないときには、電動開扉ユニットの駆動を禁止することができ、不要な扉の開放を防止することができ、電動開扉ユニットの誤操作による冷蔵室の温度上昇を防ぐという効果を有する。また禁止設定は、扉の状態と開扉スイッチの操作方法により可能なことから新たなスイッチを追加することなく実現できるものであり、スイッチ操作により自動的に動作を行う機器においてその動作を禁止設定する必要のある機器などの用途にも適用できる。
【図面の簡単な説明】
【００４５】
【図１】本発明による冷蔵庫の扉装置の実施の形態１制御構成図
【図２】同実施の形態における制御フローチャート
【図３】本発明による冷蔵庫の扉装置の実施の形態２制御制御フローチャート
【図４】本発明による冷蔵庫の扉装置の実施の形態３制御フローチャート
【図５】冷蔵庫の正面図
【図６】冷蔵室用の扉を開いた冷蔵庫の斜視図
【図７】電動開扉ユニット周辺の縦断面図
【図８】従来の冷蔵庫の扉装置の制御ブロック図
【図９】従来の冷蔵庫の扉装置の制御フローチャート
【符号の説明】
【００４６】
５    設定手段
６    制御手段
７    警報手段
８    通知手段
９    判定手段
５０１    冷蔵庫本体
５０２    冷蔵室
５０２ａ    扉
５０７    電動開扉ユニット
５１０ａ    開扉スイッチ
５１３    扉スイッチ
【図１】
2006046742.tif 000003
【図２】
2006046742.tif 000004
【図３】
2006046742.tif 000005
【図４】
2006046742.tif 000006
【図５】
2006046742.tif 000007
【図６】
2006046742.tif 000008
【図７】
2006046742.tif 000009
【図８】
2006046742.tif 000010
【図９】
2006046742.tif 000011